(57)【要約】【課題】オーガ式除雪機による除雪作業の効率化と安定化の両立を図ること。【解決手段】除雪時に上から前下方へ向かって回転する正転オーガ４１と、該正転オーガに対し逆方向へ回転する逆転オーガ４２とが、同軸上に配置されてオーガハウジング２１内の幅方向に並んでいるオーガ式除雪機１０である。該逆転オーガの軸方向の幅Ｌｂは、正転オーガの軸方向の幅Ｌａよりも小さい。その分、該逆転オーガが雪を前上方へ放り出す作用は弱まる。除雪時に該逆転オーガの回転による、積雪の抵抗を低減することができる。【選択図】図３
2015031066.tif 000002
【特許請求の範囲】
【請求項１】
除雪時に上から前下方へ向かって回転する正転オーガと、該正転オーガに対し逆方向へ回転する逆転オーガとが、同軸上に配置されてオーガハウジング内の幅方向に並んでいるオーガ式除雪機において、
前記逆転オーガの軸方向の幅は、前記正転オーガの軸方向の幅よりも小さいことを特徴とするオーガ式除雪機。
【発明の詳細な説明】
【技術分野】
【０００１】
本発明はオーガ式除雪機のオーガの改良技術に関する。
【背景技術】
【０００２】
除雪機のなかには、前進走行しつつ前部のオーガによって雪を掻き集め、掻き集めた雪をブロアによってシュータを介して遠くへ飛ばす型式の、いわゆるオーガ式除雪機がある。このオーガ式除雪機の技術は特許文献１から知られている。該特許文献１で知られているオーガ式除雪機は、除雪時に上から前の下方へ向かって回転する正転オーガと、該正転オーガに対し逆方向へ回転する逆転オーガとが、同軸上に配置されてオーガハウジング内の幅方向に並んでいる。
【０００３】
正転オーガの軸方向の幅は、逆転オーガの軸方向の幅と同一である。正転オーガの径は、逆転オーガの径と同一である。正転オーガの回転速度は、逆転オーガの回転速度よりも大きい。この結果、正転オーガに発生する反力が、逆転オーガに発生する反力よりも僅かに大きいので、各オーガは路面から僅かに浮き上がる。このように、正転オーガに発生する反力を、逆転オーガに発生する反力によって相殺することは、可能である。
【０００４】
しかし、逆転オーガは、除雪時に上から「後の下方」へ向かって回転するので、破砕した雪を前上方へ放り出す傾向が強い。逆転オーガから前上方へ放り出された雪は、そのままオーガ除雪機の前方に溜まる。このように、オーガによって一度に除雪されずに残る現象は、一般に雪漏れ現象や雪こぼれ現象といわれている。前方に溜まった雪は、もう一度逆転オーガ又は正転オーガによって掻き取らなければならない。しかも、逆転オーガの軸方向の幅は大きい。その分、逆転オーガは破砕した雪を放り出す作用が比較的強い。この放り出し作用を抑制する、つまり雪漏れ現象を抑制することは、オーガ式除雪機による除雪作業の効率化を図る上で重要となる。しかも、正転オーガの浮き上がり現象を抑制することも求められる。さらには、逆転オーガは破砕した雪を前上方へ放り出すので、正転オーガに比べて積雪の抵抗が大きい。
【先行技術文献】
【特許文献】
【０００５】
【特許文献１】特開２００４−３６０３７９号公報
【発明の概要】
【発明が解決しようとする課題】
【０００６】
本発明は、オーガ式除雪機による除雪作業の効率化と安定化の両立を図ることができる技術を、提供することを課題とする。
【課題を解決するための手段】
【０００７】
請求項１に係る発明によれば、除雪時に上から前下方へ向かって回転する正転オーガと、該正転オーガに対し逆方向へ回転する逆転オーガとが、同軸上に配置されてオーガハウジング内の幅方向に並んでいるオーガ式除雪機において、前記逆転オーガの軸方向の幅は、前記正転オーガの軸方向の幅よりも小さいことを特徴とするオーガ式除雪機が提供される。
【発明の効果】
【０００８】
請求項１に係る発明では、除雪時に上から前の下方へ向かって回転する正転オーガと、該正転オーガに対し逆方向へ回転する逆転オーガとが、同軸上に配置されてオーガハウジング内の幅方向に並んでいる。該逆転オーガの軸方向の幅は、該正転オーガの軸方向の幅よりも小さい。その分、逆転オーガは、破砕した雪を前上方へ放り出す作用が弱まる。この放り出し作用、つまり雪漏れ現象を抑制することができるので、オーガ式除雪機による除雪作業の効率化を図ることができる。しかも、正転オーガの浮き上がり現象を、逆転オーガによって抑制することできる。さらには、逆転オーガの軸方向の幅が小さいので、その分、該逆転オーガが雪を前上方へ放り出す作用は弱まる。このため、除雪時に該逆転オーガの回転による、積雪の抵抗を低減することができる。このように、オーガ式除雪機による除雪作業の効率化と安定化の両立を図ることができる。
【図面の簡単な説明】
【０００９】
【図１】本発明の実施例１に係るオーガ式除雪機の側面図である。
【図２】図１に示されるオーガ駆動系をオーガ式除雪機の正面から見た模式図である。
【図３】図１に示されるオーガハウジング及びオーガをオーガ式除雪機の正面から見た図である。
【図４】本発明の実施例２に係るオーガ式除雪機のオーガをオーガ式除雪機の正面から見た図である。
【発明を実施するための形態】
【００１０】
本発明を実施するための形態を添付図に基づいて以下に説明する。なお、「前」、「後」、「左」、「右」、「上」、「下」は作業者から見た方向に従い、Ｆｒは前側、Ｒｒは後側、Ｌｅは左側、Ｒｉは右側を示す。
【実施例１】
【００１１】
実施例１に係るオーガ式除雪機について説明する。図１に示されるように、オーガ式除雪機１０は、機体１１（車体フレーム１１）に走行装置１２と除雪作業部１３と動力源１４とを備えた自走式除雪機である。機体１１の後部から後方上部へ操作ハンドル１５が延びている。作業者は、オーガ式除雪機１０（以下、単に「除雪機１０」という。）に連れて歩行しながら、操作ハンドル１５によって該除雪機１０を操作することができる。
【００１２】
該除雪作業部１３は、オーガハウジング２１、該オーガハウジング２１の後部に且つ幅方向中央に設けられたブロアハウジング２２、該オーガハウジング２１内に設けられたオーガ２３、該ブロアハウジング２２内に設けられたブロア２４、及び該ブロアハウジング２２から上方へ延びたシュータ２５からなる。
【００１３】
該動力源１４は、走行装置１２と除雪作業部１３を駆動するものであり、例えばエンジンによって構成される。該動力源１４の動力は、駆動プーリ３１と伝動ベルト３２と従動プーリ３３と伝動軸３４の経路によって、ブロア２４に伝わるとともに、該伝動軸３４からトランスミッション３５を介してオーガ２３に伝わる。オーガ２３によって掻き集めた雪を、ブロア２４によってシュータ２５を介して遠くへ飛ばすことができる。なお、走行装置１２は、電動モータによって駆動される構成であってもよい。
【００１４】
以下、該除雪作業部１３について詳しく説明する。ブロアハウジング２２は正面視真円の円筒状であって、機体１１に取り付けられている。ブロア２４は前記伝動軸３４に取り付けられている。該伝動軸３４の先端部には、トランスミッション３５の入力軸６１が連結されている。該トランスミッション３５は、オーガハウジング２１内に位置している。
【００１５】
図２及び図３に示されるように、オーガ２３は、除雪機１０（図１参照）による除雪時に、上から前下方（矢印Ｒａ方向）へ向かって回転する左右の正転オーガ４１，４１と、該左右の正転オーガ４１，４１に対し逆方向（矢印Ｒｂ方向）へ回転する左右の逆転オーガ４２，４２とからなる。
【００１６】
該左右の正転オーガ４１，４１は、オーガハウジング２１の幅方向中央寄りに位置しており、幅中心ＣＬに位置したトランスミッション３５を挟んで、互いに近接している。該左右の逆転オーガ４２，４２は、オーガハウジング２１の幅方向両側に位置している。つまり、該左右の逆転オーガ４２，４２は、該左右の正転オーガ４１，４１よりもオーガハウジング２１の幅方向外側に位置している。左の正転オーガ４１と左の逆転オーガ４２とは、軸長手方向に近接している。右の正転オーガ４１と右の逆転オーガ４２とは、軸長手方向に近接している。
【００１７】
該左右の逆転オーガ４２，４２は、ブロアハウジング２２の幅（図１に示されるブロアハウジング２２の入口２２ａの幅）よりも幅方向外側のみに位置することが好ましい。ここで、該ブロアハウジング２２の幅とは、オーガハウジング２１を正面から見たときの該ブロアハウジング２２の幅寸法、オーガハウジング２１の幅方向に沿った大きさのことである。
【００１８】
以下、オーガ２３の回転方向については、除雪機１０による除雪時に、上から前下方、つまり矢印Ｒａ方向へ向かって（図１の反時計回りに）回転することを「正転」という。また、該左右の正転オーガ４１，４１に対して逆方向、つまり矢印Ｒｂ方向（図１の時計回りの方向）へ回転することを「逆転」という。
【００１９】
該左右の正転オーガ４１，４１は、左右の正転軸４３，４３に設けられている。詳しく述べると、該左右の正転オーガ４１，４１は、それぞれ２つの所定幅の帯板状の部材によってスパイラル状（螺旋状）に構成されており、正転オーガ爪４１，４１ともいう。該左右の正転オーガ４１，４１のスパイラル方向は、該左右の正転オーガ４１，４１が正転することにより、破砕した雪をオーガハウジング２１の幅方向中央に寄せ集める方向である。
【００２０】
該左右の逆転オーガ４２，４２は、左右の逆転軸４４，４４に設けられている。詳しく述べると、該左右の逆転オーガ４２，４２は、それぞれ２つの所定幅の帯板状の部材によってスパイラル状に構成されており、逆転オーガ爪４２，４２ともいう。該左右の逆転オーガ４２，４２のスパイラル方向は、該左右の逆転オーガ４２，４２が逆転することにより、破砕した雪をオーガハウジング２１の幅方向中央に寄せ集める方向である。
【００２１】
該左右の正転軸４３，４３と該左右の逆転軸４４，４４とは、同軸上（図３に示される軸線Ｘｓ上）に配置されてオーガハウジング２１内の幅方向に１列に並んでいる。つまり、該左右の正転オーガ４１，４１と該左右の逆転オーガ４２，４２とは、同軸上（図３に示される軸線Ｘｓ上）に配置され、且つ機体１１（図１参照）の前部に位置している。
【００２２】
図２に示されるように、該左右の逆転軸４４，４４は、トランスミッション３５の逆転用駆動軸６２に相対回転可能に嵌合した、パイプ軸によって構成される。該逆転用駆動軸６２は、オーガハウジング２１の幅方向に延びており、入力軸６１に駆動力を入力することによって、逆転可能である。該逆転用駆動軸６２の軸長手方向の両端部には、左右の逆転用回転軸６３，６３が連結されている。該左右の逆転用回転軸６３，６３には、左右の逆転用シャーボルト６４，６４によって、左右の逆転軸４４，４４が連結されている。
【００２３】
さらに、トランスミッション３５は、左右の正転用駆動軸６５，６５を有する。該左右の正転用駆動軸６５，６５は、逆転用駆動軸６２に相対回転可能に嵌合したパイプ軸によって構成されており、入力軸６１に駆動力を入力することによって、正転可能である。該左右の正転用駆動軸６５，６５には、左右の正転用回転軸６６，６６が連結されている。該左右の正転軸４３，４３は、該左右の正転用駆動軸６５，６５に相対回転可能に嵌合した、パイプ軸によって構成される。該左右の正転用回転軸６６，６６には、左右の正転用シャーボルト６７，６７によって、左右の正転軸４３，４３が連結されている。
【００２４】
図３に示されるように、該左右の正転オーガ４１，４１と該左右の逆転オーガ４２，４２の外径は、全て同一である。該左右の正転オーガ４１，４１の軸方向の幅（オーガハウジング２１の幅方向の幅）はＬａである。該左右の逆転オーガ４２，４２の軸方向の幅（オーガハウジング２１の幅方向の幅）はＬｂである。該左右の逆転オーガ４２，４２の軸方向の幅Ｌｂは、該左右の正転オーガ４１，４１の軸方向の幅Ｌａよりも小さい（Ｌｂ＜Ｌａ）。該左右の正転オーガ４１，４１と該左右の逆転オーガ４２，４２の回転速度は、全て同一である。
【００２５】
左右の逆転オーガ４２，４２によって破砕された雪は、左右の正転オーガ４１，４１に向かって寄せ集められる。該集められた雪と、左右の正転オーガ４１，４１によって破砕された雪とは、該左右の正転オーガ４１，４１によってオーガハウジング２１の幅方向中央に寄せ集められ、且つ後方のブロアハウジング２２（図１参照）に送られる。該ブロアハウジング２２に送られた雪は、図１に示されるブロア２４によってシュータ２５を介して遠くへ飛ばされる。
【００２６】
以上の説明をまとめると、次の通りである。除雪機１０の除雪時に、上から前の下方へ向かって回転する左右の正転オーガ４１，４１と、該左右の正転オーガ４１，４１に対し逆方向へ回転する左右の逆転オーガ４２，４２とが、同軸上に配置されてオーガハウジング２１内の幅方向に並び、且つ機体１１の前部に位置している。
【００２７】
該左右の逆転オーガ４２，４２の軸方向の幅Ｌｂは、該左右の正転オーガ４１，４１の軸方向の幅Ｌａよりも小さい。その分、左右の逆転オーガ４２，４２は、破砕した雪を前上方へ放り出す作用が弱まる。この放り出し作用、つまり雪漏れ現象を抑制することができるので、除雪機１０による除雪作業の効率化を図ることができる。特に、オーガハウジング２１の幅Ｌｈが小さい場合に有効である。
【００２８】
しかも、左右の正転オーガ４１，４１と左右の逆転オーガ４２，４２とは、互いに逆方向に回転し合っている。このため、除雪時に、左右の正転オーガ４１，４１に発生する上向きの反力を、左右の逆転オーガ４２，４２に発生する下向きの反力によって相殺することができる。この結果、左右の正転オーガ４１，４１の浮き上がり現象を抑制することができるので、除雪機１０による除雪作業の安定性を高めることができる。
【００２９】
さらには、左右の正転オーガ４１，４１の軸方向の幅Ｌａに比べて、左右の逆転オーガ４２，４２の軸方向の幅Ｌｂが小さいので、その分、該逆転オーガが雪を前上方へ放り出す作用は弱まる。このため、除雪時に該逆転オーガ４２，４２の回転による、積雪の抵抗を低減することができる。
【００３０】
このように、実施例１では、除雪機１０による除雪作業の効率化と安定化の両立を図ることができる。
【実施例２】
【００３１】
実施例２に係るオーガ式除雪機について、図４に基づき説明する。図４は、図３に対応して表されている。実施例２のオーガ式除雪機１０Ａは、上記図１〜図３に示されている実施例１のオーガ２３を、図３に示される実施例２のオーガ２３Ａに変更したことを特徴とし、他の構成については上記図１〜図３に示される構成と同じなので、説明を省略する。
【００３２】
具体的には、実施例２のオーガ２３Ａの基本的な構成は実施例１に対して同じであり、該左右の正転オーガ４１，４１と該左右の逆転オーガ４２，４２の配列を変更したことを特徴とする。なお、図４に示されるオーガ２３Ａは、上記図３に示されるオーガ２３に対して、位相を変えて表している。
【００３３】
詳しく述べると、該左右の逆転オーガ４２，４２は、オーガハウジング２１（図３参照）の幅方向中央寄りに位置しており、幅中心ＣＬに位置したトランスミッション３５を挟んで、互いに近接している。該左右の正転オーガ４１，４１は、オーガハウジング２１の幅方向両側に位置している。つまり、該左右の正転オーガ４１，４１は、該左右の逆転オーガ４２，４２よりもオーガハウジング２１の幅方向外側に位置している。実施例２では、図２に示されるトランスミッション３５の回転方向を逆にすればよい。なお、実施例２では、該左右の逆転オーガ４２，４２の少なくとも一部は、ブロアハウジング２２（図１参照）の幅内に位置する。
【００３４】
実施例２によれば、上記実施例１と同様の作用、効果を発揮する。
【産業上の利用可能性】
【００３５】
本発明のオーガ式除雪機１０，１０Ａは、少なくともオーガ２３，２３Ａをエンジン１４によって駆動する除雪機に好適である。
【符号の説明】
【００３６】
１０    オーガ式除雪機
１０Ａ  オーガ式除雪機
１１    機体
２１    オーガハウジング
２３    オーガ
２３Ａ  オーガ
４１    正転オーガ
４２    逆転オーガ
Ｌａ    正転オーガの軸方向の幅
Ｌｂ    逆転オーガの軸方向の幅
【図１】
2015031066.tif 000003
【図２】
2015031066.tif 000004
【図３】
2015031066.tif 000005
【図４】
2015031066.tif 000006